(57)【要約】【課題】ねじ棒にねじ切りを行う際に偏心や片減りを生じさせない手動式ねじ切り工具を提供する。【解決手段】アンカーボルト１２の、ねじ部を延長する手動式ねじ切り工具において、アンカーボルト１２のねじ部にダイスフォルダ押え８を螺着させ、ソケット９の貫通孔１０に嵌合させて手動締め付け工具の軸を回転させると、ダイスフォルダソケット７がダイスフォルダ押さえ８に内接しながら回転する構成としたことにより、ねじ切りを行う間にダイスフォルダソケット７が傾くことがなくなり、作業現場において、偏心や片減りを生じることなくねじ切りを行うことができる。【選択図】図１
0003139750.tif 000002
【実用新案登録請求の範囲】
【請求項１】
一端を支持体に固定され、他端外周にねじ部を有するねじ棒の、当該ねじ部を延長させる手動式ねじ切り工具において、
ねじ切り用ダイスを保持するダイスフォルダと、当該ダイスフォルダを回転させるダイスフォルダソケットと、当該ダイスフォルダソケットを前記ねじ棒の中心軸を中心に回転させるダイスフォルダ押えとから成り、
前記ダイスフォルダは、下部の上に小径の上部が載り、前記ねじ棒を挿通する中心孔を上部及び下部を通して貫通させ、前記下部の中心孔は拡開されて、当該拡開箇所に内周にねじ切り刃を設けたねじ切りダイスが着脱自在に固定され、前記上部は横断面が角形であり、
前記ダイスフォルダソケットは角筒形で、前記ダイスフォルダを下部内周で嵌合自在であり、上部外周には手動締め付け工具装着用ソケットを嵌合自在であり、
前記ダイスフォルダ押えは、一定長の長さを有し、中心孔が前記ねじ棒に螺着自在なねじ孔となり、横断面が前記ダイスフォルダソケットの内周にほぼ内接する円形であることを特徴とする、手動式ねじ切り工具。  
【請求項２】
外径が同一で、ねじ切り刃を有する内径の異なるねじ切り用ダイス及び外径が同一でねじ孔である中心孔の内径の異なるダイスフォルダ押えを複数揃えたことを特徴とする、請求項１に記載の手動式ねじ切り工具。
【考案の詳細な説明】
【技術分野】
【０００１】
この考案は、設備支柱等の既設アンカーボルト等のねじ棒の補修において種々の原因によりねじ山不足となった既設アンカーボルト等のねじ棒に、既設のねじ山に連続してねじを切るための工具に関するものである。
【背景技術】
【０００２】
従来、現場で既設アンカーボルトに必要なねじを切るための装置は、モーターや減速機等の電動の動力源と動力伝達ギヤ等を用いるものが開発されている。この装置は環形のダイスをアンカーボルトの外周に嵌め込んで、ダイスを、ダイス保持具を介して回転させてねじを切る構成になっている。
【特許文献１】特開２００５−２４６５８１公開特許公報
【考案の開示】
【考案が解決しようとする課題】
【０００３】
しかしながら、特許文献１に示すように電動の動力源を用いる場合には、電源を確保する必要がある。また装置の構成が大掛かりになり、装置の重量や寸法がかさみ、運搬に手間がかかる。また作業現場において、十分な作業スペースが確保できない場合や装置の安定した据え付けができない場合には使用できないケースがあった。また手動でねじを切ることも考えられるが、ダイスを保持して回転させるダイス保持具を常にアンカーボルトの中心軸の中心に回転させなければならず、手動でこれを行うと、ダイス保持具にかかる力が偏り、ダイスが傾いたり、偏心したりしてしまうおそれがある。
【０００４】
そこでこの考案では、上述の課題を解決するため、電動ではなく、手動の締め付け工具を用いる構成とするとともに、ダイス及びダイス保持具をアンカーボルト等のねじ棒の中心軸を中心に常に回転させることができ、ねじ切りに偏心や片減りを生じさせないねじ切り工具を提供するものである。
【課題を解決するための手段】
【０００５】
上記課題を解決するため、請求項１の考案は、一端を支持体に固定され、他端外周にねじ部を有するねじ棒の、当該ねじ部を延長させる手動式ねじ切り工具において、
ねじ切り用ダイスを保持するダイスフォルダと、当該ダイスフォルダを回転させるダイスフォルダソケットと、当該ダイスフォルダソケットを前記ねじ棒の中心軸を中心に回転させるダイスフォルダ押えとから成り、
前記ダイスフォルダは、下部の上に小径の上部が載り、前記ねじ棒を挿通する中心孔を上部及び下部を通して貫通させ、前記下部の中心孔は拡開されて、当該拡開箇所に内周にねじ切り刃を設けたねじ切りダイスが着脱自在に固定され、前記上部は横断面が角形であり、
前記ダイスフォルダソケットは角筒形で、前記ダイスフォルダを下部内周で嵌合自在であり、上部外周には手動締め付け工具装着用ソケットを嵌合自在であり、
前記ダイスフォルダ押えは、一定長の長さを有し、中心孔が前記ねじ棒に螺着自在なねじ孔となり、横断面が前記ダイスフォルダソケットの内周にほぼ内接する円形である、手動式ねじ切り工具とした。
【０００６】
また請求項２の考案は、外径が同一で、ねじ切り刃を有する内径の異なるねじ切り用ダイス及び外径が同一でねじ孔である中心孔の内径の異なるダイスフォルダ押えを複数揃えた、手動式ねじ切り工具とした。
【考案の効果】
【０００７】
請求項１〜２の発明によれば、手動式トルクレンチ等の手動の締め付け工具を用いる構成としたため、工具全体の寸法や重量がコンパクトかつ軽量となり、運搬しやすい。また電源等も不要である。よって、十分な作業スペースが確保できない現場でのねじ切りを容易に行うことができる。
【０００８】
また、ダイスフォルダソケットに内接するようにダイスフォルダ押えを、アンカーボルト等のねじ棒のねじ部に螺着させる構成としたため、ねじ棒とダイスフォルダソケットとの間に隙間がなくなり、ダイスフォルダソケットはねじ棒の中心軸を常に中心にして回転し、ねじ切りを行う間にダイスフォルダソケットが傾いてしまうことがなくなる。このようにダイスフォルダ押えを、ダイスフォルダソケットを傾かせないでねじ切りを行わせるガイドとして用いることにより、熟練作業者でなくても作業現場において、偏心や片減りを生じることなくねじ切りを行うことができる。
【０００９】
また請求項２の発明によれば、外径が同一で、ねじ切り刃を有する内径の異なるねじ切り用ダイス及び外径が同一でねじ孔である中心孔の内径が異なるダイスフォルダ押えを複数揃える構成にすることにより、ダイスフォルダ及びダイスフォルダソケットは同一のものを用いて、径の異なるアンカーボルト等のねじ棒にねじを切ることができるようになり便宜である。
【考案を実施するための最良の形態】
【００１０】
一端を支持体に固定され、他端外周にねじ部を有するねじ棒の、当該ねじ部を延長させる手動式ねじ切り工具において、ねじ切り用ダイスを保持するダイスフォルダと、当該ダイスフォルダを回転させるダイスフォルダソケットと、当該ダイスフォルダソケットを前記ねじ棒の中心軸を中心に回転させるダイスフォルダ押えとから成り、前記ダイスフォルダは、下部の上に小径の上部が載り、前記ねじ棒を挿通する中心孔を上部及び下部を通して貫通させ、前記下部の中心孔は拡開されて、当該拡開箇所に内周にねじ切り刃を設けたねじ切りダイスが着脱自在に固定され、前記上部は横断面が角形であり、前記ダイスフォルダソケットは角筒形で、前記ダイスフォルダを下部内周で嵌合自在であり、上部外周には手動締め付け工具装着用ソケットを嵌合自在であり、前記ダイスフォルダ押えは、一定長の長さを有し、中心孔が前記ねじ棒に螺着自在なねじ孔となり、横断面が前記ダイスフォルダソケットの内周にほぼ内接する円形である構成としたことにより、ねじ切りを行う間にダイスフォルダソケットが傾くことがなくなり、作業現場において、偏心や片減りを生じることなくねじ切りを行うことができる。
【実施例１】
【００１１】
以下、この考案の実施例１を図１〜７に基づいて説明する。図２は、本実施例のダイスフォルダ１を示したものであり、(a)平面図、(b)一部断面正面図、(c)右側面図である。図２で示すように、ダイスフォルダ１は、小径の上部２と大径の下部４とから成り、上部２は水平断面六角形の形状をしている。また上部２にはアンカーボルト等のねじ棒のねじ部が通過できるように中心孔３が垂直に設けられている。ダイスフォルダ１の下部４は断面環状の形状をしている。また下部４にはねじ切り用ダイス１３(図１を参照)を収納するための拡径中心孔３aが垂直に設けられており、この拡径中心孔３aは中心孔３と同心円上に設けられ、かつ内径が中心孔３より拡開されて大径となっており、中心孔３に連通している。ねじ切り用ダイス１３をダイスフォルダ１に収納する際には、ダイスフォルダ１の下側から拡径中心孔３aにねじ切り用ダイス１３を嵌め込み、ダイスフォルダ１の下部４の外周に適宜間隔で設けられているねじ孔５にねじ６(図１参照)を差し込んでねじ切り用ダイス１３の側面に設けたねじ孔(図示省略)に締め付ける。
【００１２】
図３は、本実施例のダイスフォルダソケット７を示したものであり、(a)平面図、(ｂ)正面図である。図３に示すようにダイスフォルダソケット７は断面六角形状の角筒である。またダイスフォルダソケット７は、下部内周でダイスフォルダ１の上部２の外周を嵌合し、後述するようにダイスフォルダ押え８(図４参照)の外周にほぼ内接する構成である。また、ダイスフォルダソケット７の断面形状は、ダイスフォルダ１の上部２の断面形状より、わずかに寸法が大きい同様の形状である。なお本実施例では、ダイスフォルダソケット７は断面が六角形状であるが、ダイスフォルダ１の上部２の断面形状と合わせれば、六角形状に限らず、四角形、五角形状等であってもよい。
【００１３】
図４は、本実施例のダイスフォルダ押え８を示したものであり、(a)平面図、(ｂ)一部断面正面図である、(c)右側面図である。図４に示すようにダイスフォルダ押え８は円筒形である。中心孔８aの内周には、ねじ棒１２(図１参照)に螺着できるように、ねじが切られている(図示省略)。また外周の相対向する箇所には、工具で当該ダイスフォルダ押え８を回し易いように工具押え８bが設けられている。
【００１４】
図５は、市販の手動締め付け工具用ソケット９を示したものであり、(a)正面図、(b)平面図、(c)底面図である。図５に示すようにソケット９の上部には略中心に垂直に貫通孔１０が設けられている。この貫通孔１０にはトルクレンチ等の締め付け工具の軸部が差し込まれる。また、ソケット９の下部にはダイスフォルダソケット７の上部外周に被せて嵌合するため、嵌合孔１１が設けられている。
【００１５】
図１は、本実施例の手動式ねじ切り工具Aを組立てた状態を示す縦断面図である。まず、この手動式ねじ切り工具Aの組み立て手順を説明する。ねじ切り用ダイス１３をダイスフォルダ１の下部４に設けられた拡径中心孔３aに収納、固定し、アンカーボルト１２の下部のねじ部に続いたねじを切りたい箇所に遊嵌合させる。次にダイスフォルダ押え８をアンカーボルト１２の上部のすでにねじが切られているねじ部に螺着させる。次にダイスフォルダソケット７をダイスフォルダ押え８の上からアンカーボルト１２に被せ、その下端をダイスフォルダ１に被せて嵌合させ、更にソケット９をダイスフォルダソケット７の上部に被せる。
【００１６】
この図１及び図６に示すように、ダイスフォルダ１の上部２の外周に、ダイスフォルダソケット７の下部内周が嵌合している。また図１に示すように、ダイスフォルダソケット７の上部外周は、ソケット９の嵌合孔１１に嵌合している。従ってソケット９の上部の貫通孔１０にトルクレンチ等の締め付け工具の軸を差し込んで回転させると、ソケット９とダイスフォルダソケット７とダイスフォルダ１とねじ切り用ダイス１３が一体に回転し、ねじ切り用ダイス１３の刃１４と当接しているアンカーボルト１２の箇所にねじが切られる。
【００１７】
このようにねじ切りを行った場合、図１及び図７に示すように、ダイスフォルダ押え８がダイスフォルダソケット７にほぼ内接しているため、ダイスフォルダ押え８がガイドの役割を果たし、ねじ切りを行なっている間、ダイスフォルダソケット７はアンカーボルト１２の中心軸を常に中心として回転し、ダイスフォルダソケット７が傾くことがない。そのため作業現場において、偏心や片減りを生じることなくねじ切りを行うことができる。
【００１８】
上記実施例では、アンカーボルト１２にねじを切る場合を示したが、アンカーボルトに限らず適宜の支持体に一端を固定されたねじ棒であれば、この考案の工具を適用できる。
【００１９】
また、外径が同一で、ねじ切り刃を有する内径の異なるねじ切り用ダイス１３及び外径が同一でねじ孔である中心孔８aの内径が異なるダイスフォルダ押え８を複数揃えておけば、アンカーボルト等のねじ棒の外径が異なるものであっても、このねじ棒の外径に相応するねじ切り刃を有する内径のねじ切り用ダイス１３及びねじ孔である中心孔８aの内径のダイスフォルダ押え８を用いれば、ダイスフォルダ１及びダイスフォルダソケット７は上記実施例のものと同一のものを使用することができる。
【００２０】
以上、この考案の好ましい実施例について述べたが、これに限定されるものではなく、この考案の範囲で種々の変更実施が可能である。つまりこの考案の手動式ねじ切り工具は上述した実施形態にのみ限定されるものではなく、この考案の範囲で種々の変更実施が可能である。
【図面の簡単な説明】
【００２１】
【図１】この考案の実施例１の手動式ねじ切り工具Aを示した縦断面図である。
【図２】この考案の実施例１のダイスフォルダを示すものであり、(a)は平面図、(b)は一部断面正面図、(c)は右側面図である。
【図３】この考案の実施例１のダイスフォルダソケットを示すものであり、(a)は平面図、(b)は正面図である。
【図４】この考案の実施例１のダイスフォルダ押えを示すものであり、(a)は平面図、(b)は一部断面正面図、(c)は右側面図である。
【図５】この考案の実施例１のソケットを示すものであり、(a)は正面図、(b)は平面図、(c)は底面図である。
【図６】図１のA-A線における横断面図である。
【図７】図１のB-B線における横断面図である。
【符号の説明】
【００２２】
１  ダイスフォルダ、  ２  上部、  ３  中心孔、  ３a  拡径中心孔、 ４ 下部、  ５ ねじ孔、  ６ ねじ、 ７ ダイスフォルダソケット、  ８  ダイスフォルダ押え、  ８a  中心孔、  ８b  工具押え、  ９ソケット、 １０ 貫通孔、  １１ 嵌合孔、 １２ アンカーボルト、  １３ ねじ切り用ダイス、 １４  刃  
【図１】
0003139750.tif 000003
【図２】
0003139750.tif 000004
【図３】
0003139750.tif 000005
【図４】
0003139750.tif 000006
【図５】
0003139750.tif 000007
【図６】
0003139750.tif 000008
【図７】
0003139750.tif 000009